(57)【要約】【課題】接合構造が改善された接合体を提供する。【解決手段】この接合体は、複数個の部材と、接合体の内部に設けられ、接合用樹脂が充填されて接合部を形成する一つ以上の接合流路と、を含み、前記接合部によって２つ以上の部材が互いに接合されることによって、接合される部材間の接合力が向上する構成とした。【選択図】図２
2010044054.tif 000002
【特許請求の範囲】
【請求項１】
複数個の部材を含む接合体であって、
接合体の内部に設けられ、接合用樹脂が充填されて接合部を形成する一つ以上の接合流路を含み、
前記接合部によって２以上の部材が互いに接合されることを特徴とする接合体。
【請求項２】
一つ以上の中空部をさらに含み、
前記接合部によって、互いに接合される前記部材の間から前記中空部内の物質が漏れたり、互い接合される前記部材の間を通じて外部の物質が前記中空部に流入したりすることが防止されることを特徴とする請求項１に記載の接合体。
【請求項３】
前記接合部は、前記中空部を取り囲むことを特徴とする請求項２に記載の接合体。
【請求項４】
前記中空部を通じて流体が流れることを特徴とする請求項２に記載の接合体。
【請求項５】
互いに接合される部材の位置が整列されるように設けられる位置合わせ部をさらに含むことを特徴とする請求項１に記載の接合体。
【請求項６】
前記位置合わせ部は、互いに接合される前記部材のいずれか一方に設けられる第１位置合わせ部と、互いに接合される前記部材のいずれか他方に設けられ、前記第１位置合わせ部とかみ合う第２位置合わせ部と、を備えることを特徴とする請求項５に記載の接合体。
【請求項７】
前記互いに接合される複数個の部材は、射出成形によって製作されることを特徴とする請求項１に記載の接合体。
【請求項８】
前記一つ以上の接合流路は互いに連通し、前記接合用樹脂は、一つのゲートを通じて前記一つ以上の接合流路に充填されることを特徴とする請求項１に記載の接合体。
【請求項９】
複数個の部材を含む接合体であって、
流体が流れる流動流路と、
接合体の内部に形成され、接合用樹脂が充填されて接合部を形成する接合流路と、
を含み、
前記接合部によって２つ以上の部材が互いに接合され、前記流動流路に流れる流体の漏れが防止されることを特徴とする接合体。
【請求項１０】
互いに接合された複数個の部材を含む流体分析装置であって、
前記流体分析装置の内部に形成され、接合用樹脂が充填されて接合部を形成する一つ以上の接合流路を含み、
前記接合部によって２つ以上の前記部材が互いに接合されることを特徴とする流体分析装置。
【請求項１１】
分析物が流れる流動流路をさらに含み、
前記接合用樹脂によって、前記流動流路に流れる分析物が、互いに接合された前記部材の間から漏れたり、外部の物質が前記接合された部材の間を通じて前記流動流路に流入したりすることが防止されることを特徴とする請求項１０に記載の流体分析装置。
【請求項１２】
分析される前記流体は、血液であることを特徴とする請求項１０に記載の流体分析装置。
【請求項１３】
互いに接合される複数個の部材を含む接合体の製造方法であって、
接合流路をその内部にそれぞれ備える部材を製造する段階と、
接合流路が互いに連通するように前記部材を整列する段階と、
連通された接合流路に接合用樹脂を充填する段階と、
を含むことを特徴とする接合体の製造方法。
【請求項１４】
複数の部材と、
前記複数の部材のそれぞれに形成されて、接合剤を収容できる接合流路と、
前記接合流路内の接合剤によって形成されて、前記複数の部材を互いに接合する少なくとも一つの接合部と、
を含む流体分析装置。
【請求項１５】
前記複数の部材のうち少なくとも一つが流動流路を備えて流体を収容できることを特徴とする請求項１４に記載の流体分析装置。
【請求項１６】
前記流体は、血液、尿、唾液、精液及び汗からなる群より選ばれることを特徴とする請求項１５に記載の流体分析装置。
【請求項１７】
複数の部材がそれぞれ接合流路を含むように前記複数の部材を形成する段階と、
前記接合流路に接合剤を充填して、前記複数の部材を互いに接合する段階と、
を含むことを特徴とする流体分析装置の製造方法。
【請求項１８】
前記複数の部材を形成する段階は、前記複数の部材間に少なくとも一つの接合流路を形成して流体を収容できるようにすることを特徴とする請求項１７に記載の流体分析装置の製造方法。
【請求項１９】
前記流体は、血液、尿、唾液、精液及び汗からなる群より選ばれることを特徴とする請求項１８に記載の流体分析装置の製造方法。
【発明の詳細な説明】
【技術分野】
【０００１】
本発明は、接合体及びその製造方法に係り、特に、接合構造が改善された接合体に関する。
【背景技術】
【０００２】
近年、合成樹脂からなる様々な製品が射出成形によって生産されているが、なかでも複雑な構造を有する製品は、別途成形された複数の部材が互いに接合されてなるのが一般的である。
【０００３】
別途成形された複数の部材が互いに接合されてなる従来の接合体は、通常、各部材の接合面に塗布された接着剤によって接合される。
【発明の概要】
【発明が解決しようとする課題】
【０００４】
本発明の目的は、接合構造が改善された接合体及びその製造方法を提供することにある。
【課題を解決するための手段】
【０００５】
上記の目的を達成するための本発明による接合体は、複数個の部材を含む接合体であって、接合体の内部に設けられ、接合用樹脂が充填されて接合部を形成する一つ以上の接合流路を含み、前記接合部によって２以上の部材が互いに接合される構成とすることができる。
【０００６】
上記接合体は、一つ以上の中空部をさらに含み、前記接合部によって、互いに接合される前記部材の間から前記中空部内の物質が漏れたり、互い接合される前記部材の間を通じて外部の物質が前記中空部に流入したりすることを防止できる。
【０００７】
なお、前記接合部は、前記中空部を取り囲むように形成されることができる。
【０００８】
なお、前記中空部を通じて流体が流れることができる。
【０００９】
なお、上記接合体は、互いに接合される部材の位置が整列されるように設けられる位置合わせ部をさらに含むことができる。
【００１０】
なお、前記位置合わせ部は、互いに接合される前記部材のいずれか一方に設けられる第１位置合わせ部と、互いに接合される前記部材のいずれか他方に設けられ、前記第１位置合わせ部とかみ合う第２位置合わせ部と、を備えることができる。
【００１１】
なお、前記互いに接合される複数個の部材は、射出成形によって製作されることができる。
【００１２】
なお、前記一つ以上の接合流路は互いに連通し、前記接合用樹脂は、一つのゲートを通じて前記一つ以上の接合流路に充填されることができる。
【００１３】
また、上記の目的を達成するための本発明による接合体は、複数個の部材を含む接合体であって、流体が流れる流動流路と、接合体の内部に形成され、接合用樹脂が充填されて接合部を形成する接合流路と、を含み、前記接合部によって２つ以上の部材が互いに接合され、前記流動流路に流れる流体の漏れが防止される構成とすることができる。
【００１４】
なお、上記の目的を達成するために、本発明は、互いに接合される複数個の部材を含む血液分析装置であって、血液分析装置の内部に形成され、接合用樹脂が充填されて接合部を形成する一つ以上の接合流路を含み、前記接合部によって２つ以上の部材が互いに接合される血液分析装置を提供することができる。
【００１５】
前記血液分析装置は、血液分析物が流れる流動流路をさらに含み、前記接合用樹脂によって、前記流動流路に流れる血液分析物が、互いに接合される前記部材の間から漏れたり、外部の物質が前記部材の間を通じて前記流動流路に流入したりすることを防止できる。
【００１６】
なお、上記の目的を達成するために、本発明は、互いに接合される複数個の部材を含む接合体の製造方法であって、接合流路をその内部にそれぞれ備える部材を製造する段階と、接合流路が互いに連通するように前記部材を整列する段階と、連通された接合流路に接合用樹脂を充填する段階と、を含む接合体の製造方法を提供することができる。
【発明の効果】
【００１７】
本発明による接合体は、接合性能が向上するという効果が得られる。
【図面の簡単な説明】
【００１８】
【図１】本発明の一実施例による接合体を示す分解斜視図である。
【図２】本発明の一実施例による接合体が組み立てられた様子を示す斜視図である。
【図３Ａ】本発明の一実施例による接合体の製造方法を示す図である。
【図３Ｂ】本発明の一実施例による接合体の製造方法を示す図である。
【図３Ｃ】本発明の一実施例による接合体の製造方法を示す図である。
【図３Ｄ】本発明の一実施例による接合体の製造方法を示す図である。
【図３Ｅ】本発明の一実施例による接合体の製造方法を示す図である。
【図３Ｆ】本発明の一実施例による接合体の製造方法を示す図である。
【図４】本発明の一実施例による接合体を示す断面図である。
【発明を実施するための形態】
【００１９】
以下、本発明の実施の形態について、詳細に説明する。
【００２０】
以下、本発明による接合体及びその製造方法の好適な実施例を、添付の図面を参照しつつ詳細に説明する。
【００２１】
図１は、本発明の一実施例による接合体を示す分解斜視図であり、図２は、本発明の一実施例による接合体を組み立てた状態を示す斜視図である。便宜上、図１及び図２では、本発明によって製造される接合体の例として血液分析用ディスクを概略的に示す。
【００２２】
図１に示すように、本実施例の接合体１００は、互いに接合される複数個の部材１１０，１２０，１３０を含む。具体的に、接合体１００は、メインプレート１１０と、メインプレートの上側及び下側にそれぞれ接合される上部プレート１２０及び下部プレート１３０と、を含む。例えば、上部プレート１２０の下面がメインプレート１１０の上面に接合され、かつ、下部プレート１３０の上面がメインプレート１１０の下面に接合されることで、接合体１００が形成される。
【００２３】
上部プレート１２０は、被検査物が流入する複数の流入口１２１を含む。例えば、被検査物は、血液、尿、唾液、精液、汗などの体液とすることができるが、これに限定されず、被検査物はいずれの流体にしても良い。
【００２４】
上部プレート１２０は、血液などの被検査物が流入する複数個の流入口１２１を有する。
【００２５】
メインプレート１１０は、流入口１２１から流入した被検査物が流動しながら成分によって分離される複数個の流動流路１１１を有する。流動流路１１１には、流路を選択的に開閉するバルブ（図示せず）と、検査目的によってバイオセンサー（図示せず）または試薬（図示せず）などが設けられることができる。
【００２６】
また、本実施例の接合体１００は、接合体１００の内部に形成され、接合用樹脂が充填されて接合部１５０を形成する接合流路１４０をさらに含む。
【００２７】
図面符号１４１，１４２及び１４３はそれぞれ、メインプレート１１０、上部プレート１２０及び下部プレート１３０で定義される接合流路１４０を示す。メインプレート１１０、上部プレート１２０及び下部プレート１３０が当接して整列された状態で、上部プレート１２０の上側に設けられた複数個の充填口１２２から接合用樹脂が接合流路１４０に充填され冷却されることで、接合部１５０が形成される。
【００２８】
本実施例の接合体１００では、接合部１５０によって部材１１０，１２０，１３０、すなわち、メインプレート１１０、上部プレート１２０及び下部プレート１３０が互いに接合されると同時に、互いに接合される部材１１０，１２０，１３０間の機密性が向上する。すなわち、各流動流路１１１は、接合部１５０に取り囲まれるので、流動流路１１１内の物質が、互いに接合される部材１１０，１２０，１３０間の間隙１６０から漏れたり、流動流路１１１外の物質が間隙１６０を通じて流動流路１１１に流入したりすることが防止される。特に、各部材の接合面には接着剤などが塗布されないので、不均一に塗布された接着剤によって部材間に間隙ができる可能性もない。例えば、下部プレート１３０の上面及びメインプレート１１０の下面は、下部プレート１３０及びメインプレート１１０が接合部１５０によってお互い接合されるときに、被検査物が流動流路１１１外を流動することを防止するように形成されることができる。この例では、被検査物が流動流路１１１から漏れることが防止されるため、被検査物は間隙１６０を通じて漏れず、かつ、外部の物質が流動流路１１１に浸入することも防止される。
【００２９】
また、本実施例の接合体１００は、射出成形段階で各部材の製作及び接合を同時に行うことができるので、接合体の生産性が向上する。
【００３０】
また、接合流路は互いに連通するように形成されることが好ましく、こうすると、接合用樹脂の供給のためのランナー及びゲートの数を減らすことができ、金型の設計がし易くなる。例えば、接合流路１４０は、接合用樹脂が接合体１００の一地点でのみ供給され、以降、部材１１０、１２０及び１３０の相互接合のために接合流路１４０中に拡散されるように形成されることができる。
【００３１】
図３Ａ〜図３Ｆは、本発明の一実施例による接合体の製造方法を示す図である。説明の便宜上、ここでは単純な形状を持つ接合体の製造方法を取り上げて説明するが、本発明によって製作可能な接合体の形状に制限はない。
【００３２】
図３に示すように、本実施例の射出成形装置１０は、固定支持板２０と、固定支持板２０から隔たる移動支持板３０と、固定支持板２０に形成された固定金型２１と、移動支持板３０に形成された移動金型３１と、を含む。ここで、固定金型２１は、第１固定金型２１ａ及び第２固定金型２１ｂを含み、移動金型３１は第１移動金型３１ａ及び第２移動金型３１ｂを含む。
【００３３】
移動支持板３０は、図示してはいないが、レールやガイドバーのような移動案内装置に支持されることによって、固定支持板２０に向かって移動したり固定支持板２０から隔たる方向に移動したりすることができる。
【００３４】
未説明符号４０は、溶融樹脂を金型内に供給する注入シリンダーであり、未説明符号ｒ及びｇは、注入シリンダーから注入された溶融樹脂が流動するランナー（ｒｕｎｎｅｒ）及びゲート（ｇａｔｅ）である。
【００３５】
図３Ａ及び図３Ｂに示すように、移動支持板３０が固定支持板２０の方に移動して型合せされると、第１固定金型２１ａ及び第１移動金型３１ａによって複数の成形空間５１，５２，５３が形成され、これらの成形空間５１，５２，５３の内部に溶融樹脂が供給されたのち冷却されることで、第１乃至第３部材２１０ａ，２２０ａ，２３０ａが成形される。この時、第１乃至第３部材２１０ａ，２２０ａ，２３０ａはそれぞれ、接合用樹脂が充填される接合流路２４１，２４２，２４３を有するように成形される。
【００３６】
続いて、図３Ｃ及び図３Ｄに示すように、第１固定金型２１ａ及び第１移動金型３１ａは分離され、第１乃至第３部材２１０ａ，２２０ａ，２３０ａは第２移動金型３１ｂに移送され、互いに当接するように整列される。例えば、図３Ｄに示すように、第３部材２３０ａの頂面が第１部材２１０ａの底面と接触し、第１部材２１０ａの頂面が第２部材２２０ａの底面と接触することかできる。この時、第１乃至第３部材２１０ａ，２２０ａ，２３０ａの移送及び整列は、吸着器などを備える装置によって自動で行われることが好ましい。未説明符号２１１は、接合体２００内に形成された流動流路を表す。もちろん、接合体２００の内部には単純な中空部などが形成されても良い。
【００３７】
以降、図３Ｅ及び図３Ｆに示すように、型合せされた第２固定金型２１ｂ及び第２移動金型３１ｂ間に整列された部材２１０ａ，２２０ａ，２３０ａの接合流路２４０に接合用樹脂を充填し冷却することで、接合体２００が完成する。図３Ｅ及び図３Ｆに示すように、第２金型部２１ｂ，３１ｂで接合部２５０の成形がなされるとき、同時に、第１金型部２１ａ，３１ａでは新しい第１乃至第３部材２１０ｂ、２２０ｂ、２３０ｂの成形がなされることができる。
【００３８】
図４は、本発明の一実施例による接合体を示す断面図である。
【００３９】
図４に示すように、本実施例の接合体３００は、あらかじめ製作された部材３１０，３２０が定位置に整列されるようにする位置合わせ部３７０を備える。
【００４０】
具体的に、位置合わせ部３７０は、互いに接合される部材３１０，３２０のいずれか一方、例えば部材３１０に設けられる第１位置合わせ部３７１と、互いに接合される部材のいずれか他方、例えば部材３２０に設けられ、第１位置合わせ部３７１とかみ合う第２位置合わせ部３７２を含む。
【００４１】
こうすると、各部材が定位置に整列された状態で容易に接合用樹脂を接合流路に充填することができ、接合用樹脂が充填される間に部材が移動するのを防止することができる。
【００４２】
以上では血液分析装置を取り上げて本発明を説明したが、これは例示的なものに過ぎず、本発明は、各種小便、唾液分析機などの医療装備を含め、様々な製品に適用可能である。
【００４３】
なお、以上説明された各部材は射出成形によって別途に製作されるとしたが、射出成形以外の方法によって製造され、本実施例の方法によって接合されても良いことは勿論である。
【００４４】
なお、以上説明された接合体は、流体が流れる流動流路を含むとしたが、接合体は単純な中空部を含み、接合部は該中空部を取り囲んで形成されても良い。
【００４５】
なお、接合される部材の個数に制限はなく、接合される部材の一部は本発明以外の手段によって接合されても良いことは当然である。
【符号の説明】
【００４６】
１０    射出成形装置
２０    固定支持板
２１    固定金型
３０    移動支持板
３１    移動金型
４１    第１注入シリンダー
４２    第２注入シリンダー
５１，５２，５３    成形空間
１００    接合体
１１０    メインプレート
１１１    流動流路
１２０    上部プレート
１２１    流入口
１２２    充填口
１３０    下部プレート
１４０    接合流路
１５０    接合部
１６０    間隙
２００    接合体
２１０ａ    第１部材
２２０ａ    第２部材
２３０ａ    第３部材
３００    接合体
３７０    位置合わせ部
【図１】
2010044054.tif 000003
【図２】
2010044054.tif 000004
【図３Ａ】
2010044054.tif 000005
【図３Ｂ】
2010044054.tif 000006
【図３Ｃ】
2010044054.tif 000007
【図３Ｄ】
2010044054.tif 000008
【図３Ｅ】
2010044054.tif 000009
【図３Ｆ】
2010044054.tif 000010
【図４】
2010044054.tif 000011